【事件の表示】
　特願２００６−１９０２９３号「電気掃除機」拒絶査定不服審判事件〔平成１８年１１月１６日出願公開、特開２００６−３１２０６６号〕について、次のとおり審決する。
【結　論】
　本件審判の請求は、成り立たない。
【理　由】
１．手続の経緯・本願発明  
　本願は、平成１２年１１月２９日に出願した特願２０００−３６２８８１号の一部を平成１８年７月１１日に新たな特許出願としたものであって、平成２１年６月２６日付けで拒絶査定がなされ、これに対し、同年９月１０日に拒絶査定不服審判の請求がなされたものである。そして、その請求項に係る発明は、出願当初の明細書に記載された特許請求の範囲の請求項１および２に記載された事項により特定されるものと認められ、その請求項１は次のとおりのものである。
「【請求項１】
　掃除機本体と、前記掃除機本体前方に設けられた前ブラシと、前記前ブラシの後方に前記前ブラシと接触するように設けられた後ブラシと、前記前ブラシと前記後ブラシの接触部上方に該接触部と対向するように設けられた吸込口と、前記吸込口から吸い込まれる塵埃を集積する前記吸込口後方に設けられた集塵室と、前記吸込口と前記集塵室とを連結する通路と、前記掃除機本体内部の前記集塵室後方に備えられた電動送風機とを備え、
　前記後ブラシは前記掃除機本体の進行方向に対して逆方向に回転し、前記前ブラシは前記後ブラシの回転に連動して前記後ブラシとは逆方向に回転するように設けると共に、
　前記前ブラシと前記後ブラシの長手方向の幅と、前記吸込口の長手方向の幅及び前記通路の長手方向の幅をほぼ同じとしたことを特徴とする電気掃除機。」 
　 
２．引用例の記載内容  
　これに対して、原査定の拒絶の理由に引用された文献は次のとおりである。 
引用文献１；実願昭５５−０６５２１０号（実開昭５６−１６４７３９号）　　　　　　マイクロフィルム
引用文献２；特開昭５５−１１３４２９号公報
引用文献３；実願昭５８−０８６９１２号（実開昭５９−１９０１５６号）　　　　　　のマイクロフィルム
　 
（１）引用文献１に記載された事項 
　引用文献１には、「回転ブラシを備えた床面掃除機」に関して、図面とともに次の技術事項が記載されている。 
（ア）「この考案は、回転ブラシと吸込開口の前縁部との間に前記回転ブラシと同様の作用をする小径の補助ブラシを設けたことにより、回転ブラシの届かない部分は補助ブラシによって掃除ができるため、隅の辺部も掃除することができ、また、本体の上部に流通路を形成したことにより、本体をた
とえ傾けたとしても一度吸い込んだ塵埃は落ちないように構成したものである。
　この考案の一実施例を図面に基づいて説明する。
まず、偏平な本体(1)が設けられている。この本体(1)の底面の前後にはこの本体(1)を移動自在にする車輪(2)が床面 (3)に接触して取付けられている。
　そして、前記本体(1)の後部には電動送風機(5)と減速機(6)とが内蔵されている。この減速機(6)は電動送風機(5)に接続され、これから伝達される回転を減速する。また、後部の上面(7)には前記電動送風機(5)が吸い込んだ空気を排出する排出孔(8)が形成され、後端にはハンドル(9)が取付けられている。ついで、前記本体(１)の前部には下方に開口する吸込開口(10)が形成されている。この吸込開口(10)には前記減速機(6)にベルト(11)を介して連結されて前方向に回転する回転ブラシ(12)が設けられている。この回転ブラシ(12)の外周面にはスパイラル状に毛(13)が植毛され、この毛(13)は前記吸込開口(10)の全幅にわたって前記床面(3)をはくように床面(3)に接触している。そして、前記回転ブラシ(12)と前記吸込開口(10)の前縁部との間に小径の補助ブラジ(14)が設けられている。この補助ブラシ(14)の外周面には前記床面(3)と接触して床面(3)をはぐ毛(15)が植毛されている。また、この毛(15)は前記毛(13)に接合して前記回転ブラシ(12)と逆方向の後方向に補助ブラシ(14)を回転させる。そして、前記回転ブラシ(12)よりも上方の前記本体(1)の上部には吸込口(16)が形成されている。しかして、前記本体(1)の中央部には上方から着脱自在に収納される集塵部(17)が設けられている。この集塵部(17)にはクランプ(18)と引掛部(19)が形成され、この引掛部(19)は前記上面(7)に引っ掛かりクランプ(18)はクランプ受部(20)に係止して集塵部(17)を本体(1)に取付けている。そして、前記集塵部(17)内には仕切壁(21)が形成されている。この仕切壁(21)により上方は前記吸込口(16)と連通する流通路(22)が設けられ、下方は集塵室(23)が設けられている。これらの流通路(22)と集塵室(23)とは前記仕切壁(21)に通孔(24)が形成されていることにより連通している。そして、前記集塵室(23)の開口部分にはフィルタ(25)が着脱自在に取付けられ、この部分を閉塞している。このような構成において、電動送風機(5)を駆動するとその回転は減速機(4)に伝達されて減速される。この回転はベルト(11)を介して回転ブラシ(12)に伝達されて回転ブラシ(12)を前方向に回転させる。そして、回転ブラシ(12)の毛(13)は補助ブラジ(14)の毛(15)と接合していることにより毛(15)を押し上げ補助ブラシ(14)は後方向に回転する。ついで、これらの毛(13)(15)は床面(3)と接触していることにより床面(3)をはき上げ、塵埃を挟み込むようにする。特に、回転ブラシ(12)より前方にある補助ブラ(14)は後回転することにより小石等の塵埃を吸込開口(10)外へはじきとばすことはない。そして、壁際や家具等の際の辺部は小径の補助ブラシ(14)によって掃除される。そして、このようにはき上げられた塵埃は空気とともに本体(1)の上部の吸込口(16)、流通路(22)、通孔(24)を通って本体(1)下部のフィルタ(25)を収納した集塵室(23)に流入する。そのため、本体(1)を傾けたとしても、流通路(22)は上部にあることにより塵埃はこぼれ落ちることはない。また、流通路(22)を経て塵埃は流入することによりフィルタ(25)は破損することもない。そして、集塵室(22)に流入した塵埃と空気とはフィルタ(25)によって分離され、空気は排気孔(8)より本体(1)外へ排出され、塵埃は集塵室(23)にためられる。この考案は上述のように構成したので、回転ブラシと吸込開□の前縁部との間に設けられた小径の補助ブラシにより、吸込開口の前縁部までもブラシが届くため、壁際や家��等の際の辺部の掃除をすることができ、また、本体を傾けたとしても上部に流通路があることにより、一度吸い込んだ塵埃が落ちることをなくすることができる等の効果を有するものである。」 
　
（イ）上記記載事項（ア）と第１図、第２図に記載された事項から、次のことが明らかである。
・前方向に回転する回転ブラシ(12)は、第２図に記載されている回転方向を示す矢印の方向から、進行方向とは逆方向に回転していることが明らかである。
・吸込口(16)は、補助ブラシ(14)と回転ブラシ(12)の接触部より後上方で、本体(1)の上部に設けられている。
　
　これら記載事項（ア）、（イ）を総合すれば、引用文献１には、次の発明が記載されているものと認められる。 
　「本体(1)と、前記本体(1)前方に設けられた補助ブラシ(14)と、前記補助ブラシ(14)の後方に前記補助ブラシ(14)と接触するように設けられた回転ブラシ(12)と、前記補助ブラシ(14)と前記回転ブラシ(12)の接触部より後上方で前記本体(1)の上部に設けられた吸込口(16)と、前記吸込口(16)から吸い込まれる塵埃を集積する前記吸込口(16)後方に設けられた集塵室(23)と、前記吸込口(16)と前記集塵室(23)とを連結する流通路(22)と、前記本体(1)内部の前記集塵室(23)後方に備えられた電動送風機(5)とを備え、
　前記回転ブラシ(12)は前記本体(1)の進行方向に対して逆方向に回転し、前記補助ブラシ(14)は前記回転ブラシ(12)の回転に連動して前記回転ブラシ(12)とは逆方向に回転するように設けた床面掃除機。」 
　 
（２）引用文献２に記載された事項 
　引用文献２には，電気掃除機に関し、公報第２頁左下欄第１行目〜同右下欄第６行目には「このような構成において、掃除機本体(1)を走行させつつ電動送風機(2)を駆動させると、電動送風機(2)はファンを回転させて吸塵を行なうとともにファンの回転軸に連結されたプーリ(14)を反時計方向に回転させ、同時にギヤ(18)を介して連結されたプーリ(15)を時計方向に回転させる。これらのプーリ(14)(15)の回転はベルト(16)(17)を介してプーリ(12)(13)に伝えられ、主回転ブラシ(8)と従回転ブラシ(10)とが回転されて植毛(9)(11)が絨毯等に付着した塵埃を引き剥がす。主回転ブラシ(8)は反時計方向に回転し、従回転ブラシ(10)は時計方向に主回転ブラシ(8)よりも遅い速度で回転する。したがって、主回転ブラシ(8)又は従回転ブラシ(10)の一方が絨毯等の毛足を一方向に倒しても他方がその倒れた毛足を起してその根本に入り込んだ塵埃を引き剥がして吸塵することができる。　　　　　　　　　
　ついで、本発明の第二の実施例を第２図に基づいて説明する。なお、第一の実施例において説明した部分と同一部分は同一符号で示し説明も省略する。本実施例は、主回転ブラシ(19)と従回転ブラシ(20)とをそれらの植毛(21)(22)が一つの吸込開口(23)から突出するように近づけて設けたもので、前記植毛(21)(22)は互いに接触しあい、さらに、前記従回転ブラシの(20)の植毛(22)接触または喰い込むように干渉する突出部である櫛状歯(24)が前記掃除機本体（1）の仕切壁(25)にて突出させて設けられている。」と記載されている。
　同様に、公報第３頁左上欄第２行目〜１２行目には「また、第一及び第二の実施例においては、本体ケースを掃除機本体(1)としたが、回転ブラシとその回転ブラシを駆動するモータとを有して接続パイプ等により掃除機本体に連結される吸込口体としてもよいものである。　　　　　　　　　　
　本発明は上述のように構成したので、互いに相対する方向に回転する複数の回転ブラシを前後に並行に設けたことにより、一方の回転ブラシにより倒された絨毯の毛足を回転方向が逆である他方の回転ブラシにより起すことができ、毛足の根元に入り込んだ塵埃をも取り除くことができ、」と記載されている。
　上記記載事項および第２図から次の技術的事項が明らかである。
・従回転ブラシ(20)は時計方向に回転し、主回転ブラシ(19)は従回転ブラシ(20)の回転に連動して従回転ブラシ(20)とは互いに接触しあって反時計方向に回転し、主回転ブラシ(19)と従回転ブラシ(20)の接触部上方に接触部と対向するように空間部が設けられ、この空間部から塵埃は直接、後方の集塵フイルタ部(3)へ案内されている点。（以下「引用文献２の記載事項」という。）
　                                    
（３）引用文献３に記載された事項 
　引用文献３は、掃除機用吸込具に関し、明細書第３頁１２行目〜第４頁第１行目には
「（８）は前記掃除機本体（１）の吸込口（６）に着脱自在に嵌合される吸込具である。この吸込具（８）は吸込口本体（９）と回転ブラシ体（１０）により構成されている。前記吸込口本体（９）は吸込口（６）に嵌合する・・・結合部（１１）と該結合部の溝部（１２）とは背面開口（１３）により連通する下面開口のブラシ収納室（１４）とを合成樹脂材により一体に形成すると共に前記ブラシ収納室（１４）の内面には前記回転ブラシ体（１０）に接触する多数のリブ（１５）（１５）・・・を設けている。」と記載されている。
　この記載事項と第１図、第２図を参酌すると、引用文献２には次の技術事項が記載されているといえる。
・回転ブラシ体（１０）の長手方向の幅と、吸込口本体（９）の吸込口（６）の長手方向の幅及び吸込口（６）に嵌合する結合部（１１）の長手方向の幅とをほぼ同じにしている点。（以下「引用文献３の記載事項」という。）　
　 
３．対比・判断 
　本願の請求項１に係る発明（以下「本願発明」という。）と引用文献１に記載された発明（以下「引用発明」という。）とを対比する。
　引用発明の「床面掃除機」は、電動送風機(５)を有しているので電気掃除機であることが明らかであるから、本願発明の「電気掃除機」に相当する。　引用発明の「本体(1)」、「補助ブラシ(14)」、「回転ブラシ(12)」、「吸込口(16)」、「集塵室(23)」、「電動送風機(5)」、「流通路(22)」は、本願発明の「掃除機本体」、「前ブラシ」、「後ブラシ」、「吸込口」、「集塵室」、「電動送風機」、「通路」にそれぞれ相当している。
　また、引用発明も本願発明も吸込口の位置は、ともに両ブラシの接触部の下流側という点で共通している。
　
　すると、本願発明と引用発明との一致点と相違点は次のとおりである。 
（１）一致点  
「掃除機本体と、前記掃除機本体前方に設けられた前ブラシと、前記前ブラシの後方に前記前ブラシと接触するように設けられた後ブラシと、前記前ブラシと前記後ブラシの接触部下流側に設けられた吸込口と、前記吸込口から吸い込まれる塵埃を集積する前記吸込口後方に設けられた集塵室と、前記吸込口と前記集塵室とを連結する通路と、前記掃除機本体内部の前記集塵室後方に備えられた電動送風機とを備え、
　前記後ブラシは前記掃除機本体の進行方向に対して逆方向に回転し、前記前ブラシは前記後ブラシの回転に連動して前記後ブラシとは逆方向に回転するように設けたことを特徴とする電気掃除機。」 
　 
（２）相違点  
　（ア）本願発明の吸込口が「前ブラシと後ブラシの接触部上方に接触部と対向するように設けられた」ものであるのに対して、引用発明でが「補助ブラシ(14)と回転ブラシ(12)の接触部より後上方で本体(1)の上部に」設けられた点。 
　（イ）本願発明が、「前ブラシと後ブラシの長手方向の幅と、吸込口の長手方向の幅及び通路の長手方向の幅をほぼ同じ」であるのに対して、引用発明ではそのような規定がない点。 
　                              　
（３）相違点についての検討・判断  
　・相違点（ア）について 
　引用発明において、補助ブラシ(14)は掃除機本体の進行方向に対して逆方向に回転し、回転ブラシ(12)は補助ブラシ(14)と逆方向に回転し、回転ブラシ(12)と補助ブラシ(14)とはそれぞれ逆方向に回転して塵埃をはき上げ、はき上げられた塵埃は吸込口(16)から流通路(22)を介して後方の集塵室(23)へ吸引されるものである。　
　また、引用文献２には「従回転ブラシ(20)は時計方向に回転し、主回転ブラシ(19)は従回転ブラシ(20)の回転に連動して従回転ブラシ(20)とは互いに接触しあって反時計方向に回転し、主回転ブラシ(19)と従回転ブラシ(20)の接触部上方に接触部と対向するように空間部が設けられ、この空間部から塵埃は直接、後方の集塵フイルタ部(3)へ案内されている」点が記載されている。（引用文献２の記載事項を参照）
　この「空間部」は、主回転ブラシ(19)（本願発明の「前ブラシ」や引用発明の「補助ブラシ(14)」に相当）と従回転ブラシ(20)（本願発明の「後ブラシ」や引用発明の「回転ブラシ(12)」に相当）に挟み込まれた塵埃を、遠心力で直接、後方の集塵フイルタ部(3)（本願発明の「集塵室」や引用発明の「集塵室(23)」に相当）へ案内しており、塵埃は両ブラシ(19)、(20)の遠心力によってこの「空間部」から直接、後方へ運ばれているところからみて、本願発明の「吸込口」と機能的に変わりはなく、この「空間部」は本願発明の「吸込口」に相当するといえる。
　そうすると、引用発明の吸込口(1)の構成について、上記引用文献２に記載の「空間部」の構成を適用して、本願発明の上記相違点（ア）に係る構成とすることは、当業者が容易に想到し得たものというべきものである。 
　
　・相違点（イ）について 
　引用文献３には、「回転ブラシ体（１０）の長手方向の幅と、吸込口体（９）の吸込口（６）の長手方向の幅及び吸込口（６）に嵌合する結合部（１１）の長手方向の幅とをほぼ同じにしている」点が記載されている。（上記の引用文献２の記載事項を参照。）　
　本願発明の「通路」や引用発明の「流通路(22)」も、引用文献３に記載された「結合部（１１）と「吸込口６」とで覆われた空間も、ともに、ブラシによって掻き上げられた塵埃が通過する吸込口と集塵室（ダストケース）とを連結するもので共通している。
　そうすると、引用文献３に記載された構成を参酌することで、引用発明における「流通路(22)」の長手方向の幅を、前ブラシと後ブラシの長手方向の幅とほぼ同じようにして、本願発明の上記相違点（イ）に係る構成とするこ
とは、当業者にとって容易想到の範囲ということができる。  
   　 
　そして、本願発明の効果も、引用発明、引用文献２および引用文献３の記載の事項が有する効果の総和を超えるものではなく、当業者が予測し得た範囲内のものである。 
　したがって、本願発明は、引用発明、引用文献２および引用文献３の記載の事項に基づいて、当業者が容易に発明をすることができたものである。
　 
４．むすび  
　以上、本願発明は、特許法第２９条第２項の規定により特許を受けることができないものであり、本願は拒絶されるべきものである。 
　そうすると、このような特許を受けることができない発明を包含する本願は、他の請求項について検討するまでもなく拒絶されるべきものである。 
　よって、結論のとおり審決する。